(57)【要約】【課題】着座中における通気性に優れて体温がこもり難く、しかも着座者の身体を安定的にホールドして、長時間に亘る着座姿勢を楽に保持し得る座椅子を提供する。【解決手段】ウレタンフォームの座部１０および背当部１２を一体的にモールド成形してなる椅子本体１４と、この椅子本体１４の表側を被覆するように設けた熔解処理済みウレタンフォームのシート１６と、この熔解処理済みウレタンフォームのシート１６で被覆された前記座部１０および背当部１２における少なくとも使用者の身体が接する部位に設けたハニカム状メッシュ構造の生地１８とから構成した。【選択図】  図２
2004236987.tif 000002
【特許請求の範囲】
【請求項１】
ウレタンフォームの座部（１０）および背当部（１２）を一体的にモールド成形してなる椅子本体（１４）と、
この椅子本体（１４）の表側を被覆するように設けた熔解処理済みウレタンフォームのシート（１６）と、
この熔解処理済みウレタンフォームのシート（１６）で被覆された前記座部（１０）および背当部（１２）における少なくとも使用者の身体が接する部位に設けたハニカム状メッシュ構造の生地（１８）とから構成した
ことを特徴とする座椅子。
【請求項２】
前記ウレタンフォームは多数のチップをバインダーで固めてなり、このチップは該ウレタンフォームを５ｍｍ×５ｍｍ〜２５ｍｍ×２５ｍｍの砕片に粉砕したものが使用される請求項１記載の座椅子。
【請求項３】
前記チップを固めるバインダーとして、プレポリマー系の接着剤が使用される請求項２記載の座椅子。
【請求項４】
前記熔解処理済みウレタンフォームのシート（１６）は、２５．４ｍｍ×２５．４ｍｍに８〜２０個のセルが開口している請求項１記載の座椅子。
【請求項５】
前記椅子本体（１４）の表側には、座部（１０）および背当部（１２）を枠状に取り巻く袋体（２０）が設けられ、この袋体（２０）にウレタンフォームを粉砕したウレタンチップ（２２）が自由状態で充填される請求項１記載の座椅子。
【請求項６】
前記椅子本体（１４）の裏側にウレタンフォームのスラブ材（２４）を設けた請求項１記載の座椅子。
【請求項７】
前記椅子本体（１４）の内部または裏側に折畳み自在なパイプフレーム（２６）が配設され、前記背当部（１２）を座部（１０）の側へ折畳み可能になっている請求項１記載の座椅子。
【発明の詳細な説明】
【０００１】
【発明の属する技術分野】
この発明は、着座した際の通気性に優れると共に、着座者の背部および座部を安定的にホールドし得る座椅子に関するものである。
【０００２】
【従来の技術】
背当部および座部からなる座椅子は、殊に和室向けに従来より使用されてきている。また最近では、家屋における洋室が占める割合の増大に伴って、洋風にアレンジした座椅子も広く普及するに到っている。例えば、ウレタンフォームを基材として背当部および座部からなる椅子本体を構成し、この椅子本体の外側に布地カバーを被覆してなる洋風座椅子が知られている。この座椅子は、背当部および座部の裏面にパイプフレームを備え、該フレームにより着座者の体重を支持する構造のものが多いが、該フレームを設けることは必ずしも要件ではない。
【０００３】
【発明が解決すべき課題】
従来の座椅子、殊にウレタンフォームをベースとする洋風の座椅子は通気性に欠け、季節によっては着座者の背部や座部に体温がこもって汗ばみ易く、長時間の使用に向かない難点があった。またウレタンフォームがベースであるために、着座時に着座者の臀部等の特定部位が沈み込み易く、着座姿勢が不安定になってしまうという別の難点も指摘される。
【０００４】
【発明の目的】
本発明は、前述した課題を好適に解決するために提案されたものであって、着座中における通気性に優れて体温がこもり難く、しかも着座者の身体を安定的にホールドして、長時間に亘る着座姿勢を楽に保持し得る座椅子を提供することを目的とする。
【０００５】
【発明を解決するための手段】
前記課題を克服し、所期の目的を達成するため本発明に係る座椅子は、ウレタンフォームの座部および背当部を一体的にモールド成形してなる椅子本体と、
この椅子本体の表側を被覆するように設けた熔解処理済みウレタンフォームのシートと、
この熔解処理済みウレタンフォームのシートで被覆された前記座部および背当部における少なくとも使用者の身体が接する部位に設けたハニカム状メッシュ構造の生地とから構成したことを特徴とする。
【０００６】
【発明の実施の形態】
次に本発明に係る座椅子について、好適な実施例を挙げて、添付図面を参照しながら以下説明する。図１は好適な実施例に係る座椅子の全体斜視図、図２は図１のＩＩ−ＩＩ線横断面図、図３は図１のＩＩＩ−ＩＩＩ線縦断面図である。
【０００７】
図示の座椅子３０は、着座者の臀部を支える座部１０および背面部を支える背当部１２からなる椅子本体１４を基本構成としている。この椅子本体１４の表側は、熔解処理を施したウレタンフォームのシート１６で被覆されると共に、該シート１６の所要部位にハニカム状メッシュ構造の生地１８が張設されている。すなわち、図３に示す如く、椅子本体１４を構成する座部１０および背当部１２は、ウレタンフォームのチップを、例えばポリマー系の接着剤からなるバインダーで固めて一体的にモールド成形がなされている。なお、図３に示す椅子本体１４における座部１０と背当部１２は、折畳み不能な状態でＬ字型にモールド成形してあるが、図５に関して後述する如く、背当部１２を座部１０の側へ折畳み可能にモールド成形してもよい。
【０００８】
ここで使用されるウレタンフォームのチップは、他の各種用途に供されて廃材となったウレタンフォームを活用するのが好ましく、一例として５ｍｍ×５ｍｍ〜２５ｍｍ×２５ｍｍの砕片に回転カッターで粉砕したものが好適である。また前記モールド成形には、前記座部１０および背当部１２に相応する輪郭形状のキャビティを凹設したモールド成形型が使用される。すなわち、前記キャビティに前記使用済みウレタンフォームを粉砕したチップを所要量のバインダーと共に充填し、型締めした後、所要の圧力・温度・時間条件の下に保持した後脱型することで、座部１０および背当部１２が一体的にモールド成形された椅子本体１４が製造される。
【０００９】
得られた椅子本体１４の表側、すなわち着座者の身体が接する側には、図２および図３に示すように、熔解処理を施したウレタンフォームのシート１６が被覆されている。前記シート１６は、ウレタンフォームに熔解処理を施すことでセル膜を除去し、網目状の骨格だけの構造となしたもので、その骨格構造は、例えば２５．４ｍｍ×２５．４ｍｍに８〜２０個のセルが開口している。またシート１６の厚みは、例えば５ｍｍ〜４０ｍｍ程度のものが選択される。
【００１０】
前記ウレタンフォームに施される熔解処理は、一種の爆発処理によりセル膜を吹飛ばして骨格構造だけを残すものである。例えば、多数のオープンセルからなるウレタンフォームを防爆容器中に収納し、該容器中に充填したプロパンガスと酸素の混合気に点火してこれを爆発させる。この爆発に伴なう圧力により、ウレタンフォームにおける多数のセルを隔てているセル膜を吹飛ばし、立体網目状の骨格構造だけを残留させることで、前記熔解処理済みのウレタンフォームが得られる。従って本実施例に使用されるシート１６は、この骨格構造だけからなるウレタンフォームのブロックから切り出したものである。
【００１１】
前述した如く、座部１０および背当部１２は熔解処理を施したウレタンフォームのシート１６により被覆されているが、該シート１６における少なくとも着座者（使用者）の臀部や背中の如く身体の一部が接する部位には、図１〜図３に示すように、ハニカム状メッシュ構造の生地１８が設けられている。このハニカム状メッシュ構造の生地１８は、例えばポリエステルを主たる材質とする所要厚のシート材であって、多数の通孔をハチの巣状に備えている。従って、着座者の身体から放散される熱を、ハニカム状メッシュ構造の生地１８における通孔を介して、前記熔解処理済みウレタンフォームのシート１６およびウレタンフォームのチップをバインダーで固めた椅子本体１４へ有効に逃がすべく機能する。
【００１２】
図２および図３に示す如く、前記椅子本体１４の表側には、前記座部１０および背当部１２をエンドレスに取り巻く枠状の袋体２０が設けられ、この袋体２０に使用済みのウレタンフォームを粉砕した多数のウレタンチップ２２が自由状態で充填されている。図４は、前記袋体２０を展開状態で示す斜視図であって、枠状をなす袋体２０の中間にハニカム状メッシュ構造の生地１８が存在している。このように構成することで、着座者の背面が前記ハニカム状メッシュ構造の生地１８に当接した際に、該着座者の左右両肩側に位置する前記袋体２０により人体負荷を分散させることができる。また着座者の身体から発散する体温や汗は、前記袋体２０とウレタンフォームのシート１６との間を通って左右へ放散されるので、良好な通気性が確保されて汗ばむことがなく、長時間に亘っても快適な着座感覚が得られる。
【００１３】
図５は、別実施例に係る座椅子を展開した分解状態で示す斜視図であって、モールド成形した椅子本体１４、熔解処理済みウレタンフォームのシート１６、ハニカム状メッシュ構造の生地１８およびウレタンチップ充填済み袋体２０は、既に説明した通りである。この別実施例に係る座椅子は、背当部１２を座部１０の側へ折畳みし得るようにモールド成形されており、椅子本体１４の裏側には折畳み自在にヒンジ接続したパイプフレーム２６が配設されている。このパイプフレーム２６は、椅子本体１４の内側に配設するようにしてもよい。また椅子本体１４の裏側には、例えば１０ｍｍ厚のウレタン材質のスラブ材２４が設けられ、これら椅子本体１４とウレタンスラブ材２４とにより、前記パイプフレーム２６をサンドイッチしている。なお、何れの実施例においても、椅子本体１４の裏面側またはウレタンスラブ材２４の裏面側には、化粧のために布カバー２８が被覆してある。
【００１４】
前述した実施例に係る座椅子では、多数の通孔を有するハニカム状メッシュ構造の生地１８が着座者の背面および臀部に直接当たるようになっている。しかも、このハニカム状メッシュ構造の生地１８の裏側には、熔解処理が施されて立体網目状の骨格構造だけからなるウレタンフォームのシート１６が存在しているので、通気性に極めて優れ、従って着座者の汗等による張付き感を良好に解消することができる。また着座者の体重は、前記座部１０および背当部１２を構成する椅子本体１４が支えるが、この椅子本体１４はウレタンフォームのチップをバインダーで一体的にモールド成形したものであるから、荷重が加わっても不安定に崩れることがなく、着座者を安定的にホールドすることができ、長時間に亘る着座姿勢を楽な状態で維持することができる。
【００１５】
【発明の効果】
以上に説明した如く、本発明に係る座椅子によれば、請求範囲に記載の構成を採用したことにより、着座中における通気性に優れて体温がこもり難い利点を有する。また着座者の身体を安定的にホールドし得るので、長時間に亘る着座姿勢を楽に保持し得る効果も奏する。
【図面の簡単な説明】
【図１】好適な実施例に係る座椅子の全体斜視図である。
【図２】図１のＩＩ−ＩＩ線横断面図である。
【図３】図１のＩＩＩ−ＩＩＩ線縦断面図である。
【図４】袋体を展開状態で示す斜視図である。
【図５】別実施例に係る座椅子を展開した分解状態で示す斜視図である。
【符号の説明】
１０  座部
１２  背当部
１４  椅子本体
１６  熔解処理済みウレタンフォームのシート
１８  ハニカム状メッシュ構造の生地
２０  袋体
２２  ウレタンチップ
２４  ウレタンフォームのスラブ材
２６  パイプフレーム
２８  布カバー
【図１】
2004236987.tif 000003
【図２】
2004236987.tif 000004
【図３】
2004236987.tif 000005
【図４】
2004236987.tif 000006
【図５】
2004236987.tif 000007